(57)【要約】      （修正有）【課題】許容可能な安定性及び嗅覚特性を特徴とする液体布地ケア組成物の提供。【解決手段】布地ケア組成物の０．１重量％〜２０重量％の酢と、前記布地ケア組成物の０．１重量％〜２０重量％の芳香物質であって、ｌｏｇＰが２．５未満であることを特徴とする、芳香物質と、前記布地ケア組成物の少なくとも３０重量％の水とを含み、前記布地ケア組成物は、未希釈ｐＨが１〜６であることを特徴とする、液体布地ケア組成物。【選択図】なし【特許請求の範囲】
【請求項１】
液体布地ケア組成物であって、
布地ケア組成物の０．１重量％〜２０重量％の酢と、
前記布地ケア組成物の０．１重量％〜２０重量％の芳香物質であって、ｌｏｇＰが２．５未満であることを特徴とする、芳香物質と、
前記布地ケア組成物の少なくとも３０重量％の水とを含み、
前記布地ケア組成物は、未希釈ｐＨが１〜６であることを特徴とする、液体布地ケア組成物。
【請求項２】
前記組成物は、０．１％〜１０％、好ましくは０．５％〜５％、より好ましくは１％〜３％の酢を含む、請求項１に記載の組成物。
【請求項３】
水性液体布地処理組成物であって、
有機酸系であって、酢酸を含む、有機酸系と、
芳香物質であって、ｌｏｇＰが２．５以下であることを特徴とする、芳香物質とを含み、
前記布地ケア組成物は、未希釈ｐＨが１〜６であることを特徴とする、水性液体布地処理組成物。
【請求項４】
前記酢酸が、前記組成物の０．０５重量％〜５重量％、好ましくは、０．１重量％〜３重量％、より好ましくは０．１５重量％〜２重量％、更により好ましくは０．２〜１重量％、又は０．２重量％〜０．５重量％、又は０．２重量％〜０．３重量％の濃度で存在する、請求項３に記載の組成物。
【請求項５】
前記組成物が、クエン酸、乳酸、アジピン酸、アスパラギン酸、カルボキシメチルオキシマロン酸、カルボキシメチルオキシコハク酸、グルタル酸、ヒドロキシエチルイミノ二酢酸、イミノ二酢酸、マレイン酸、リンゴ酸、マロン酸、オキシ二酢酸、オキシ二コハク酸、コハク酸、スルファミン酸、酒石酸、酒石酸−二コハク酸、酒石酸−一コハク酸、又はこれらの混合物から選択される第２の有機酸、好ましくはクエン酸を更に含む、請求項１〜４のいずれか一項に記載の組成物。
【請求項６】
前記組成物が、酢酸と、前記第２の有機酸とを、１：３００〜１：１、好ましくは１：２５０〜１：１０、より好ましくは１：２２５〜１：５０、更により好ましくは１：２００〜１：１００の重量比で含み、好ましくは、前記第２の有機酸がクエン酸である、請求項１〜５のいずれか一項に記載の組成物。
【請求項７】
前記組成物が、
（ａ）ｐＨが１．５〜５、好ましくは２〜４、更により好ましくは２〜３であること、及び／又は
（ｂ）ｐＨ４．０に対する予備酸性度が少なくとも１、好ましくは少なくとも３、更により好ましくは少なくとも５であること
を特徴とする、請求項１〜６のいずれか一項に記載の組成物。
【請求項８】
前記組成物が、少なくとも５０％の水、好ましくは少なくとも６０％の水を含む、請求項１〜７のいずれか一項に記載の組成物。
【請求項９】
前記芳香物質の少なくとも５０重量％、好ましくは少なくとも６０重量％、より好ましくは少なくとも７０重量％、更により好ましくは少なくとも８０重量％、更により好ましくは少なくとも９０重量％、更により好ましくは少なくとも９５重量％、更により好ましくは１００重量％が、天然由来の芳香物質である、請求項１〜８のいずれか一項に記載の組成物。
【請求項１０】
前記芳香物質が、植物抽出物、好ましくは果実抽出物、薬草抽出物、又はこれらの混合物から選択される植物抽出物を含み、
前記芳香物質が果実抽出物を含む場合、前記果実抽出物は、好ましくは柑橘抽出物、より好ましくはレモン抽出物を含み、
前記芳香物質が薬草抽出物を含む場合、前記薬草抽出物は、好ましくはラベンダー抽出物、ローズマリー抽出物、タイム抽出物、バジル抽出物、又はこれらの混合物、より好ましくはラベンダー抽出物を含む、請求項１〜９のいずれか一項に記載の組成物。
【請求項１１】
前記芳香物質が複数の物質を含み、前記複数の物質の少なくとも６０重量％が、ｌｏｇＰが２．５以下であることを特徴とする、請求項１〜１０のいずれか一項に記載の組成物。
【請求項１２】
前記組成物が、ブルックフィールド粘度計及びＡＳＴＭ  Ｄ  ２１９６−９９を用い、６０ＲＰＭ及び２２℃における回転粘度測定によって決定される場合、粘度が１〜２００ｃｐｓであることを特徴とする、請求項１〜１１のいずれか一項に記載の組成物。
【請求項１３】
前記組成物が実質的に染料を含まない場合、前記組成物は、１センチメートルのキュベットを使用して、４１０〜８００ナメートル、好ましくは５７０〜６９０ナノメートルの波長で、光透過率（Ｔ％）が少なくとも６０％、好ましくは少なくとも７０％、より好ましくは少なくとも８０％、更により好ましくは少なくとも９０％、更により好ましくは少なくとも９５％であることを特徴とする、請求項１〜１２のいずれか一項に記載の組成物。
【請求項１４】
前記組成物が、洗浄性界面活性剤、漂白系、及び／又は布地柔軟化物質を実質的に含まない、請求項１〜１３のいずれか一項に記載の組成物。
【請求項１５】
液体布地ケア組成物の製造方法であって、
水性塩基を提供する工程と、
酢と前記水性塩基とを混ぜ合わせる工程と、
芳香物質と前記水性塩基とを混ぜ合わせる工程であって、前記芳香物質は、前記水性塩基に添加されると、ｌｏｇＰが２．５以下であることを特徴とし、好ましくは、前記芳香物質は、前記水性塩基と混ぜ合わされたときに乳化しない、工程とを含み、
得られた液体布地ケア組成物は、未希釈ｐＨが約１〜６であることを特徴とする、方法。
【発明の詳細な説明】
【技術分野】
【０００１】
本開示は、酢及び／又は酢酸、芳香物質及び水を含む液体布地ケア組成物に関する。芳香物質は、ｌｏｇＰが約２．５未満であることを特徴としていてもよく、組成物は、酸性ｐＨであることを特徴としていてもよい。本開示はまた、このような組成物の製造方法及び使用方法にも関する。
【背景技術】
【０００２】
今日の消費者の多くは、天然起源の成分を含む消費者向け製品を使用することに継続的に関心があり、使用したいと望んでいる。その他の消費者は、「流行の」又は「再流行の」消費者向け製品を好み、これらの製品は、消費者の祖母達が使用していたかもしれない成分、方法又はブランドを使用するが、現代的な手段を取り入れている。
【０００３】
酢は、両方の要求に適合し得る成分である。酢は、家の周囲の様々な処理用途に長い間使用されてきた。例えば、酢又はその溶液を使用し、シャワーヘッド又は水栓のスケールを落とし、床又は窓などの硬質表面を洗浄し、更には洗濯プロセスで布地を処理してもよい。
【０００４】
しかし、酢は、典型的には、酢酸含有量に起因して、強い臭気を有する場合がある。消費者は、このような臭気を有する製品を好まないだろう。更に、このような製品で処理された表面（例えば、布地）は、消費者を大いにいらだたせる残留する酢の匂いを伴ってしまう場合がある。
【０００５】
酢を含む消費者向け製品の消費者による受け入れを改善するために、製造業者は、この臭気を隠すために香料を使用しようと試みる場合がある。特定の芳香剤はまた、ある表面が綺麗であるか、又は別の様式で新鮮であるとの印象を消費者に与えることもできる。しかし、家庭用製品に一般的に使用される多くの芳香物質は、油であるか、又は他の様式で疎水性であり、このことは、このような香料と共に配合された水性製品が物理的に不安定であり得ることを意味している。
【０００６】
水性製品への組み込みを改善するために、芳香物質を乳化してもよいが、乳化は更なる課題を引き起こす。例えば、多くの乳化剤（例えば、ＮＥＯＤＯＬ（登録商標）ノニオン性界面活性剤（ｅｘ  Ｓｈｅｌｌ）などの一般的なノニオン性界面活性剤は、合成によって作られ、天然由来の製品を求める消費者にとって望ましいものではない場合がある。乳化した液滴は、製品の更なる構造化を必要とする場合があり、費用が追加される。更に、香料の乳化した液滴によって、消費者に「純粋さ」を暗示する透明製品が望ましいときに、濁っているか、更には不透明な水性製品が得られる場合がある。
【発明の概要】
【発明が解決しようとする課題】
【０００７】
酢を含有し、許容可能な安定性及び嗅覚特性を特徴とする消費者向け製品が必要とされている。
【課題を解決するための手段】
【０００８】
本開示は、特定の香料と組み合わせた酢酸及び／又は酢の使用を含む、布地ケア組成物及び方法に関する。
【０００９】
例えば、本開示は、液体布地ケア組成物であって、布地ケア組成物の約０．１重量％〜約２０重量％の酢と、布地ケア組成物の約０．１重量％〜約２０重量％の芳香物質であって、ｌｏｇＰが約２．５未満であることを特徴とする、芳香物質と、布地ケア組成物の少なくとも約３０重量％の水とを含み、布地ケア組成物は、無希釈ｐＨが１〜６であることを特徴とする、水性液体布地ケア組成物に関する。
【００１０】
本開示はまた、水性液体布地処理組成物であって、酢酸を含む有機酸系と、芳香物質であって、ｌｏｇＰが約２．５以下であることを特徴とする、芳香物質とを含み、布地ケア組成物は、無希釈ｐＨが約１〜約６であることを特徴とする、水性液体布地処理組成物に関する。
【００１１】
本開示はまた、液体布地ケア組成物の製造方法であって、水（例えば、少なくとも５０％の水）を含む水性（液体）塩基を提供する工程と、酢と水性塩基とを混ぜ合わせる工程と、芳香物質と水性塩基とを混ぜ合わせる工程であって、芳香物質は、水性塩基に添加される場合、ｌｏｇＰが２．５以下であることを特徴とし、得られた液体布地ケア組成物は、無希釈ｐＨが約１〜約６であることを特徴とする、方法に関する。
【発明を実施するための形態】
【００１２】
本開示は、酢酸（例えば酢の形態で）と、芳香物質とを含む水性布地処理組成物に関する。酢酸は、酢の形態であってもよい。芳香物質は、多くの他の一般的な芳香物質と比較して、比較的親水性であるように選択される。このような親水性は、以下に更に詳細に記載されるｌｏｇＰ測定によって定量化されてもよい。
【００１３】
理論に束縛されるものではないが、本明細書に記載される組成物及び関連する方法におけるこのような親水性芳香物質の選択は、従来の芳香物質と比べて１つ以上の利点を提供することができると考えられる。芳香物質は親水性であるため、典型的には水性組成物に溶解し、相安定性が改善される。それらの相対的な親水性に起因して、水性組成物に添加する前に芳香物質を乳化する必要はなく、加工工程、配合空間、及び／又は追加の材料（例えば、構造化剤及び／又は乳化剤など）を保存することができる。更に、親水性芳香物質は、実質的に透明な製品の製造をより容易に促進する。
【００１４】
本開示の組成物及び方法の構成要素は、以下により詳細に記載されている。
【００１５】
本明細書で使用される場合、特許請求の範囲で使用されるときの「ａ」及び「ａｎ」という冠詞は、特許請求又は記載されているもののうちの１つ以上を意味すると理解される。本明細書で使用される場合、「含む（include）」、「含む（includes）」、及び「含んでいる（including）」という用語は、非限定的であることを意味する。本開示の組成物は、本開示の構成要素を含み、それらから本質的になり、又はそれらからなることができる。
【００１６】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する、組成物を含むことを意味する。指示される材料は、あったとしても、組成物の１重量％未満、又は０．１重量％未満、又は０．０１重量％未満、又は更には０重量％の濃度で存在してもよい。
【００１７】
本明細書で使用するとき、「布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含むが、これらに限定されない。かかる組成物を、洗濯前処理剤、洗濯後処理剤として使用してもよく、あるいは洗濯動作のすすぎ又は洗浄サイクル中に加えてもよい。
【００１８】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００１９】
本明細書における全ての温度は、特に断らない限り、摂氏（℃）を単位とする。特に指示がない限り、本明細書における全ての測定は、２０℃及び大気圧下で行う。
【００２０】
本開示の全ての実施形態において、全ての比率（％）は、特に記載のない限り、全組成物の重量に対するものである。特に記載のない限り、全ての比は、重量比である。
【００２１】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２２】
布地処理組成物
本開示は、布地処理組成物に関する。以下に更に詳細に記載されるように、組成物は、酢酸を含んでいてもよく、酢酸は、酢の形態であってもよい。酢酸は、有機酸系の一部であってもよい。組成物は、洗浄、柔軟性及び／又は洗いたての効果を標的布地に与え得る。例えば、酢酸及び／又は他の有機酸は、布地（特に、硬水中で洗浄した布地）に堆積し得る鉱物沈着物を除去し、改善された柔軟性をもたらすと考えられる。
【００２３】
布地処理組成物は、液体組成物である。液体組成物は、比較的低粘度であってもよく、水と同様の粘度でさえあってもよい。消費者は、純度、天然らしさ及び／又は単純さとの関連により、かかる低粘度組成物を望む場合がある。組成物は、粘度が約１〜約２００、又は約１５０、又は約１００、又は約７５ｃｐｓ、又は約５０ｃｐｓ、又は約３０ｃｐｓ、又は約２０ｃｐｓ、又は約１５ｃｐｓ、又は約１０ｃｐｓであることを特徴としていてもよい。本明細書で使用するとき、粘度は、以下の試験方法の項に提供される方法によって決定される。
【００２４】
本開示の布地処理組成物は、酸性組成物である。本開示の布地処理組成物は、ｐＨが７未満、又は約６未満、又は約５未満、又は約４未満、又は約３未満であることを特徴としていてもよい。本開示の布地処理組成物は、ｐＨが、約１又は約１．５又は約２から、約６まで、又は約５まで、又は約４まで、又は約３まで、又は約２．５までであることを特徴としていてもよい。組成物は、ｐＨが約２から約４まで、又は約３までであってもよい。
【００２５】
以下に記載の有機酸に加えて、組成物は、緩衝剤及び／又は中和剤、例えば、苛性物質（例えば、ＮａＯＨ）などの更なるｐＨ調整剤を含んでいてもよい。
【００２６】
本開示の組成物は、予備酸性度（Reserve Acidity）測定によって特性決定することができる。理論によって制限されることなく、予備酸性度測定は、組成物の酸性化力、すなわち、純粋又は蒸留水ではなく、水道水で大幅に希釈した状態で加えられるときに、組成物が標的となる酸性洗浄ｐＨ又はすすぎｐＨを与える能力の最良の指標であることがわかっている。予備酸性度は、無希釈製品ｐＨ及び、ある態様では、他の緩衝剤と共に、配合される有機酸の濃度によって調整されるだろう。本開示の組成物は、ｐＨ４．０に対する予備酸性度が少なくとも約１、又は少なくとも約３、又は少なくとも約５であってもよい。記載される組成物は、ｐＨ４．０に対する予備酸性度が約３〜約１０、又は約４〜約７であってもよい。本明細書で使用される場合、「予備酸性度」は、ｐＨ４．０を達成するのに必要な、生成物１００ｇあたりのＮａＯＨのグラム数を指す。予備酸性度測定は、本明細書で使用される場合、標準化されたＮａＯＨ溶液を用い、ｐＨ４．００の終点までの製品の１％蒸留水溶液の（標準温度及び気圧での）滴定に基づく。
【００２７】
本開示の布地処理組成物は、実質的に透明であってもよい。このような組成物は、純粋さ及び／又は天然起源（及びその結果、合成成分が含まれていないこと）との印象を消費者に与えてもよい。組成物は、１センチメートルのキュベットを使用して、４１０〜８００ナノメートル、又は５７０〜６９０ナノメートルの波長で、光透過率（％Ｔ）が、少なくとも約５０％、又は少なくとも約６０％、又は少なくとも約７０％、又は少なくとも約８０％、又は少なくとも約９０％、又は少なくとも約９５％であることを特徴としていてもよく、組成物は、染料を実質的に含まない。本開示の目的のために、可視光範囲内の一波長が５０％よりも高い透過率を有する限り、組成物は、実質的に透明／半透明であるとみなされる。
【００２８】
開示される組成物は、２２℃で等方性であってもよい。本明細書で使用される場合、「等方性」は、Ｂｅｃｋｍａｎ  ＤＵ分光光度計を用い、染料が存在しない状態で、標準的な１０ｍｍ光路長キュベットにより測定すると、波長５７０ｎｍで５０％を超える透過率％Ｔを有する、透明な混合物を意味する。透過率は、以下の試験方法の項に提供される方法によって決定される。
【００２９】
又は、組成物の透明性は、可視光波長（約４１０〜８００ｎｍ）での０．３未満の吸光度を有するとして測定されてもよく、この値は、上述のキュベット及び波長を用いたときの少なくとも約５０％の透過率に相当する。
【００３０】
本開示の組成物は、単相中に存在してもよい。組成物は、以下の試験方法の項に提示される安定性方法に従って、安定であってもよい。
【００３１】
有機酸
本開示の布地処理組成物は、１つ以上の有機酸を含む。布地処理組成物は、有機酸系を含んでいてもよく、有機酸系は、１つ以上の有機酸を含んでいてもよい。組成物は、少なくとも２つの有機酸を含んでもよい。有機酸系は、少なくとも酢酸と、クエン酸などの第２の有機酸とを含んでいてもよい。本開示の有機酸は、分子量が約８０ダルトン未満であってもよい。
【００３２】
本開示の布地処理組成物は、組成物の約１重量％〜約４０重量％の有機酸系を含んでいてもよい。有機酸系は、布地処理組成物の約１重量％から、又は約２重量％から、又は約３重量％から、又は約５重量％から、又は約１０重量％から、又は約１５重量％から、又は約２０重量％から約４０重量％まで、又は約３５重量％まで、又は約３０重量％まで、又は約２５重量％まで、又は約２０重量％までの濃度で存在していてもよい。
【００３３】
本開示の布地処理組成物は、酢酸を含んでいてもよい。酢酸は、布地から特定の残渣を除去するのに役立ち、布地をより綺麗に、及び／又はより軟らかくすると考えられる。酢酸は、組成物の０．０５重量％から、又は約０．１重量％から、又は約０．１５重量％から、又は約０．２重量％から約５重量％まで、又は約３重量％まで、又は約２重量％まで、又は約１重量％まで、又は約０．５重量％まで、又は約０．３重量％までの濃度で存在していてもよい。
【００３４】
酢酸は、酢として提供されてもよい。したがって、本開示の布地処理組成物は、酢を含んでもよい。酢は、組成物の約０．５重量％から、又は約１重量％から、又は約１．５重量％から、又は約２重量％から約２０重量％まで、又は約１５重量％まで、又は約１０重量％まで、又は約５重量％まで、又は約４重量％まで、又は約３重量％までの濃度で存在してもよい。家庭用キッチンでの使用に好適な酢は、典型的には、酢の約４重量％〜約５重量％の酢酸を含むが、より濃縮された形態が利用可能であり得る。
【００３５】
酢酸の顕著な臭気に起因して、比較的低濃度の酢酸及び／又は酢が望ましい場合があるが、性能効果を与えるためには、ある程度の最小量が依然として望ましい場合がある。ホワイトビネガーは、典型的には、約４重量％〜約５重量％の酢酸を含むが、本開示の組成物は、比較的低い濃度で酢酸を含んでもよい。酢酸又は酢の濃度が低い場合、組成物の性能は、クエン酸などの第２の有機酸の添加により改善され得る。
【００３６】
本開示の布地処理組成物及び／又は有機酸系は、酢酸／酢に加えて、少なくとも第２の有機酸を含んでいてもよい。適切な第２の有機酸としては、クエン酸、乳酸、アジピン酸、アスパラギン酸、カルボキシメチルオキシマロン酸、カルボキシメチルオキシコハク酸、グルタル酸、ヒドロキシエチルイミノジ酢酸、イミノ二酢酸、マレイン酸、リンゴ酸、マロン酸、オキシ二酢酸、オキシジコハク酸、コハク酸、スルファミン酸、酒石酸、酒石−ジコハク酸、酒石−モノコハク酸、又はこれらの混合物が挙げられるだろう。布地処理組成物はクエン酸を含んでもよい。クエン酸など、使用中にビルダーとしても機能し得る第２の有機酸を選択することが好ましい場合がある。
【００３７】
第２の有機酸は、酢酸よりも高い濃度で存在してもよい。第２の有機酸は、布地処理組成物中に、布地処理組成物の約１重量％から、約２重量％から、又は約３重量％から、又は約５重量％から、又は約１０重量％から、又は約１５重量％から、又は約２０重量％から約４０重量％まで、又は約３５重量％まで、又は約３０重量％まで、又は約２５重量％まで、又は約２０重量％までの濃度で存在してもよい。酢酸と第２の有機酸（例えばクエン酸）は、約１：３００から、又は約１：２５０から、又は約１：２２５から、又は約１：２００から約１：１まで、又は約１：１０まで、又は約１：５０まで、又は約１：１００までの重量比で存在していてもよい。望ましくない臭気を最小限に抑えながら性能を改善するために、酢酸と比較して比較的多くの第２の有機酸を含むことが望ましい場合がある。
【００３８】
芳香物質
本開示の布地処理組成物は、芳香物質を含む。芳香物質を添加し、液体製品組成物に、処理液に、及び／又は組成物で処理された布地に、審美的に心地良い香りを与える。本開示の組成物は、組成物の約０．１重量％〜約２０重量％、又は約０．２重量％〜約１０重量％、又は約０．３重量％〜約５重量％の芳香物質を含んでいてもよい。
【００３９】
芳香物質の非限定的な例としては、限定されないが、アルデヒド、ケトン、エステルなどが挙げられる。他の例としては、様々な天然抽出物及び天然エキスが挙げられ、これらは、オレンジ油、レモン油、バラ抽出物、ラベンダー、ムスク、パチョリ、バルサムエキス、ビャクダン油、パイン油、シーダーなどの成分の複雑な混合物を含むことができる。最終香料は、そのような成分の非常に複雑な混合物を含むことができる。
【００４０】
本開示の布地処理組成物では、芳香物質が比較的親水性であることが望ましい。親水性芳香物質は、本開示の水性組成物に十分に溶解又は分散する可能性が高く、改良された相安定性及び／又は製品透明性を生じる。
【００４１】
ある物質又は物質の組み合わせが親水性（疎水性）である程度は、ｌｏｇＰ値を使用して記述することができる。ＬｏｇＰは、２つの不混和性の液体相（オクタノールと水）の間の溶質分布の指標であり、一般的に、溶質の疎水性の相対的な指標として使用される。相対的に大きな分配係数Ｐを有する香料成分ほど、疎水性が高い。相対的に小さな分配係数Ｐを有する香料成分ほど、親水性が高い。香料成分の分配係数は、通常は高い値を有するので、より簡便には、１０を底とする対数ｌｏｇＰの形態で与えられる。
【００４２】
本開示の１つの芳香物質（複数の芳香物質）は、単一物質であるか、又は物質の組み合わせであるかによらず、ｌｏｇＰが約２．５以下、又は約２．２以下、又は約２以下であることを特徴としていてもよい。本明細書で使用される場合、１つの芳香物質又は芳香物質の混合物のｌｏｇＰは、以下の試験方法の項に提供される方法に従って決定される。その中でより詳細に記載されるように、コンセンサスｌｏｇＰは、典型的には、利用可能な場合に好ましいが、ｌｏｇＰを決定する代替的な方法も提供される。
【００４３】
芳香物質が複数の物質を含む場合、個々の物質はそれぞれ、ｌｏｇＰによって特徴付けられてもよく、物質の大部分（重量で）が、ｌｏｇＰが約２．５以下、又は約２．２以下、又は約２以下であることを特徴としていることが好ましい場合がある。複数の物質の少なくとも約６０％、又は少なくとも約７０％、又は少なくとも約８０％、又は少なくとも約８５％、又は少なくとも約９０％、又は少なくとも約９５％は、ｌｏｇＰが約２．５以下、又は約２．２以下、又は約２以下の物質であることを特徴としていてもよい。このような物質の量が多いほど、組成物の相安定性及び／又は透明性が増加すると考えられる。
【００４４】
それらの親水性のために、１つの芳香物質（複数の芳香物質）は、塩基性混合以外の更なる処理なしに、本開示の水性組成物に添加されてもよい。芳香物質は、乳化していない芳香物質であってもよい。１つの芳香物質（複数の芳香物質）は、無希釈で、又は水性プレミックスの一部として添加されてもよい。
【００４５】
ｌｏｇＰ値が２．５未満である個々の芳香物質としては、以下の表Ａに列挙される非限定的な例が挙げられる。本開示の組成物は、表Ａに列挙される１つ以上の芳香物質を含んでいてもよい。表Ａに列挙される芳香物質の１つ以上を、更なる芳香物質と組み合わせて使用してもよい。
【００４６】
【表１】
2020076087.tif 000002
【００４７】
本開示の芳香物質の少なくとも一部は、天然起源の材料に由来していてもよい。このような物質は、合成によって誘導された、及び／又は地質学的に誘導された（石油系など）物質と比較して、環境影響が更に少なく、及び／又は環境的に更に持続可能であると考えられる。芳香物質の少なくとも約５０％、又は少なくとも約６０％、又は少なくとも約７０％、又は少なくとも約８０％、又は少なくとも約９０％、又は少なくとも約９５％、又は約１００％が天然由来の芳香物質であってもよい。
【００４８】
好適な天然由来の芳香物質としては、シナモン、アロニア、ヒビスカス、ガーデア、白米、レモンバーム、カモミール、ペパーミント、スペアミント、セージ、ベルガモット、バジル、タイム、オレガノ、アカシア花、ユリ、ヒタミ、ジャスミン、バラ、ラベンダー、キク、ライラック、アプリコット、フリージア、チューリップ、ユーカリ、ローズマリー、マグノリア、アップルミント、ティーツリー、ヒアシンス、サクラ、レモンバーベナ、ツバキ、フェンネル、ピーチフラワー、ブルーベリー、ラズベリー、又はこれらの混合物が挙げられるだろう。
【００４９】
芳香物質は、果実抽出物、薬草抽出物、又はこれらの混合物などの植物抽出物を含んでもよい。好適な果実抽出物は、柑橘抽出物、好ましくはレモン抽出物を含んでもよい。好適な薬草抽出物は、ラベンダー抽出物、ローズマリー抽出物、タイム抽出物、バジル抽出物、又はこれらの混合物、好ましくはラベンダー抽出物を含んでいてもよい。
【００５０】
特定の抽出物などの天然由来の物質を含む特定の芳香物質は、比較的疎水性であってもよい。例えば、一部は、ｌｏｇＰが約２．５を超えていてもよい。そのような物質及び／又はそれらの由来となる親物質は、芳香物質の相対的親水性を増加させる処理工程を経てもよい。例えば、１つの方法によって調製されたレモン抽出物は、異なる方法によって調製された別のレモン抽出物とは異なる／より疎水性であるｌｏｇＰを有していてもよい。本明細書に記載される芳香物質に関して、芳香物質の少なくとも一部は、溶媒抽出工程で調製されてもよい。得られる物質は、望ましい親水性及び／又はｌｏｇＰ値を有すると考えられるため、水性溶媒を使用して物質を抽出するか、又は別の方法で調製することが特に好ましい場合がある。得られる物質が所望の親水性及び／又はｌｏｇＰ値を有さない場合があると考えられるため、蒸留工程が物質の少なくとも一部を調製するために使用されないことが好ましい場合がある。分離工程を使用して、物質を疎水性／油性部分及び親水性／水系部分に分離する場合、親水性／水系部分を使用してもよい。好適な芳香物質は、Ａｎｔｏｎｉｏｔｔｉ，Ｓ．、Ｍｏｌｅｃｕｌｅｓ  ２０１４、１９、９２０３−９２１４（例えば、ｈｔｔｐｓ：／／ｗｗ．ｍＤＰＩ．ｃｏｍ／１４２０−３０４９／１９／７／９２０３／ｈｔｍ）に記載されるものなど、酵素処理工程によって調製されてもよい。
【００５１】
本開示の組成物は、典型的には、比較的低いｐＨを特徴とするため、本開示の芳香物質は、典型的には、特に組成物のｐＨで酸安定性である。酸安定性は、相分離がなく、変色がなく、及び／又は貯蔵時の酸性ｐＨで、好ましくは約２〜約４のｐＨで沈殿形成がないことによって、定性的に示されてもよい。
【００５２】
水及び他の任意の溶媒
布地処理組成物は、典型的には水性組成物である。したがって、布地処理組成物は水を含む。このような水性組成物中の典型的な疎水性芳香物質は、追加の処理（乳化など）、成分、又は他の介入が存在しないと、相が不安定になる場合がある。
【００５３】
本開示の布地処理組成物は、布地組成物の約３０重量％から、又は約４０重量％から、又は約５０重量％から約９５重量％まで、約９０重量％まで、又は約８０重量％まで、又は約７５重量％まで、又は約７０重量％までの水を含んでいてもよい。
【００５４】
本開示の布地処理組成物は水性であるが、組成物は、組成物の安定性、成分溶解性、及び／又は組成物の透明性を改善することができる有機溶媒を更に含んでもよい。布地処理組成物は、組成物の約０．１重量％〜約３０重量％、又は約１重量％〜約２０重量％の有機溶媒を含んでいてもよい。好適な有機溶媒としては、エタノール、ジエチレングリコール（ＤＥＧ）、２−メチル−１，３−プロパンジオール（ＭＰＤ）、モノプロピレングリコール（ＭＰＧ）、ジプロピレングリコール（ＤＰＧ）、オリガミン（例えば、ジエチレントリアミン（ＤＥＴＡ）、テトラエチレンペンタミン（ＴＥＰＡ））、グリセリン、プロポキシル化グリセリン、エトキシル化グリセリン、エタノール、１，２−プロパンジオール（プロピレングリコールとも呼ばれる）、１，３−プロパンジオール、２，３−ブタンジオール、セルロース系エタノール、再生可能プロピレングリコール、再生可能モノプロピレングリコール、再生可能ジプロピレングリコール、再生可能１，３−プロパンジオール、及びこれらの混合物が挙げられる。有機溶媒のうち１つ以上は、生体由来であってもよく、このことは、これらが天然／持続可能な、地質学的に誘導されたものではない（例えば、非石油系）供給源から誘導されることを意味している。
【００５５】
特定の成分を含まない
本開示の布地処理組成物は、限定された数の成分、例えば、１０以下、又は９以下、又は８以下、又は７以下、又は６以下、又は５以下の成分を含んでいてもよい。成分の数を制限することにより、原材料の貯蔵コスト及び／又は輸送コストが低下し、及び／又は組成物の製造方法を単純化することができる。消費者はまた、これらの製品が、より単純なものとして、より小さい環境フットプリントを有するものとして、及び／又はより理解しやすい成分リストを提供するものとして知覚され得るため、成分の数を制限した製品を望むだろう。
【００５６】
上述のように、本組成物は、比較的透明であってもよい。したがって、本組成物は、組成物の相対的透明性を下げる場合があるカプセル化有益剤、シリコーン液滴、真珠光沢剤、及び／又は乳白剤などの粒子を実質的に含まなくてもよい。本組成物は、染料を実質的に含まなくてもよい。本明細書で使用するとき、用語「染料」は、洗浄組成物の審美性を修正する美的染料、並びに布地に付着し、布地の色合いを変化させることができる染料及び／又は顔料を含む。染料としては、着色剤、顔料、及び色相剤が挙げられる。本組成物は、光学増白剤を実質的に含まなくてもよい。
【００５７】
本組成物は、洗浄性界面活性剤、漂白系、及び／又は布地柔軟化物質を実質的に含まなくてもよい。このような物質は、本組成物中の他の成分の審美性、物理的安定性及び／又は化学的安定性に影響を及ぼすことがある。これに加え、又はこれに代えて、特定のこのような物質は、本組成物の低ｐＨ環境において、物理的又は化学的に安定でない場合がある。更に、本組成物を使用する消費者は、処理された布地から物質を除去することを望む場合があり、一方、列挙した物質の少なくとも一部は、通常の処理サイクル中に布地上に蓄積し、望ましくない残渣を構築し得る。
【００５８】
本組成物は、アニオン性、非イオン性、両性及び／又は双極性界面活性剤を含め、洗浄性界面活性剤を実質的に含まなくてもよい。アニオン性界面活性剤としては、硫酸アルキル又は硫酸アルコキシル化アルキルなどの硫酸化界面活性剤、スルホン化界面活性剤、例えば、（直鎖）アルキルベンゼンスルホネート、及び／又はカルボキシル化界面活性剤が挙げられるだろう。非イオン性界面活性剤としては、アルコキシル化脂肪族アルコール、アルコキシル化アルキルフェノール、及び／又はアルキルポリグルコシドが挙げられるだろう。双極性界面活性剤としては、アミンオキシド及び／又はベタインが挙げられるだろう。
【００５９】
本組成物は、漂白系を実質的に含まなくてもよい。漂白系は、過酸化水素及び／又は過酸化物源などの過酸化物漂白剤を含んでもよい。漂白系は、次亜塩素酸塩漂白剤などの次亜塩素酸塩漂白剤、又はそのようなハロゲン化塩の供給源を含んでもよい。漂白系はまた、ＮＯＢＳ又はＴＡＥＤ又は漂白触媒などの漂白活性化剤を含んでもよい。
【００６０】
本組成物は、布地柔軟化物質を実質的に含まなくてもよい。このような物質は、布地上に堆積する場合があり、特定の消費者、用途、又は布地にとってあまり好まれない場合がある。これに加えて、又はこれに代えて、このような物質は、本水性組成物と適合性を有するように、乳化又は他の処理が必要な場合がある。布地柔軟化物質は、カチオン性に帯電していてもよく、及び／又は典型的な洗浄条件でカチオン性に帯電させることができる。布地柔軟化物質としては、第四級アンモニウムエステル化合物、シリコーン、非エステル第四級アンモニウム化合物、アミン、脂肪酸エステル、ショ糖エステル、シリコーン、分散性ポリオレフィン、多糖類、脂肪酸、軟化剤又はコンディショニング油、ポリマーラテックス、又はこれらの組み合わせが挙げられるだろう。本明細書で使用される場合、用語「布地柔軟化物質」は、酢又は酢酸を含め、上の「有機酸」の項に列挙されている材料のうちのいずれかを含むことを意図するものではない。
【００６１】
粘度を低く保つために、本開示の組成物は、増粘剤又は構造化剤などの他のレオロジー増強剤を実質的に含まなくてもよい。組成物は、増粘などのレオロジー変性を引き起こし得る、塩化ナトリウム、塩化マグネシウム、及び／又は塩化カルシウムのような無機塩などの塩を実質的に含まなくてもよい。本明細書で使用される場合、このような塩は、本明細書に記載の有機酸の中和生成物を含むことを意図するものではない。
【００６２】
本開示は、長々と酢酸及び／又は酢を考察してきたが、酢酸及び／又は酢が存在しない状態であっても、透明性が望ましい場合にはクエン酸を含む処理組成物に同じ原理を適用することができる。クエン酸はまた、「天然」成分であり、関連する消費者の望ましい成分な場合がある。したがって、本開示はまた、有機酸系を含む水性液体布地処理組成物であって、クエン酸を含む有機酸系と、芳香物質であって、ｌｏｇＰが約２．５以下であることを特徴とする、芳香物質とを含み、布地ケア組成物は、無希釈ｐＨが約１〜約６であることを特徴とする、水性液体布地処理組成物に関する。上述の成分、濃度及び特性は、このような組成物に実質的に適用することができる。
【００６３】
包装
本明細書に記載の布地処理組成物は、紙、厚紙、プラスチック材料、及び任意の好適な積層体から構築されるものを含む任意の好適な容器に封入することができる。容器は、再生可能及び／又はリサイクル可能な材料を含有してもよい。
【００６４】
布地処理組成物は、透明ボトルなどの透明な容器に入れられてもよい。透明ボトル又は容器は、スペクトルの可視部分（約４１０〜８００ｎｍ）において、約２５％超、又は約３０％超、又は約４０％超、又は約５０％超の透過率を有してもよい。又は、ボトルの吸光度は、約０．６未満として測定されてもよく、又は、約２５％超の透過率を有することにより測定されてもよく、透過率％は次の式に等しい：
【００６５】
【数１】
2020076087.tif 000003
【００６６】
本開示の目的において、可視光線範囲内のある波長が、約２５％を超える透過率を有する限り、これは透明／半透明であるとみなされる。
【００６７】
使用してもよい透明ボトル材料としては、限定されないが、ポリプロピレン（ＰＰ）、ポリエチレン（ＰＥ）、ポリカーボネート（ＰＣ）、ポリアミド（ＰＡ）及び／又はポリエチレンテレフタレート（ＰＥＴＥ）、ポリ塩化ビニル（ＰＶＣ）、及びポリスチレン（ＰＳ）が挙げられる。リサイクル可能な物質は、環境上の理由から好ましい場合がある。
【００６８】
容器又はボトルは、家庭用の液体を貯蔵及び包装するのに好適な任意の形状又はサイズであってよい。例えば、容器は任意のサイズを有してもよいが、通常、容器は、約０．０５〜約１５Ｌ、又は約０．１〜約５Ｌ、又は約０．２〜約２．５Ｌの最大容量を有する。容器は、容易に取り扱うために適したものであってもよい。例えば、容器は、容器を片手で容易に持ち上げたり運搬したりすることができるようなかかる寸法のハンドル又は部品を有してもよい。容器は、液体洗剤組成物を注ぐために好適な手段、及び容器の再閉鎖の手段を有してもよい。注ぐ手段は、任意のサイズ又は形状であってもよい。閉鎖手段は、任意の形態又はサイズ（例えば、容器を閉じるために容器に螺合又はクリックされる）であってもよい。閉鎖手段は、容器から取り外すことができるキャップであってもよい。あるいは、キャップは、容器が開いているか閉じているかを問わず、容器に取り付けられていてもよい。閉鎖手段も、容器に組み込まれていてもよい。
【００６９】
製造方法
本開示は更に、本明細書に記載される液体布地処理組成物の製造方法に関する。当該技術分野において既知の任意の好適な工程、例えばバッチ工程、インライン混合、及び／又は循環ループ系工程を使用することができる。
【００７０】
液体布地処理組成物の製造方法は、水性塩基組成物を提供する工程と、酢酸及び／又は酢を水性塩基組成物と混ぜ合わせる工程と、芳香物質（乳化していない芳香物質であってもよい）と水性塩基を混ぜ合わせる工程とを含んでいてもよく、得られた液体布地ケア組成物は、未希釈ｐＨが約１〜約６であることを特徴とする。
【００７１】
水性塩基は、水を含んでいてもよい。水性塩基は、水性塩基の少なくとも５０％、又は少なくとも６０％、又は少なくとも７０％、又は少なくとも７５％、又は少なくとも８０％、又は少なくとも８５％、又は少なくとも９０％、又は少なくとも９５％の水を含んでいてもよい。
【００７２】
芳香物質を以下に更に詳細に記載する。例えば、芳香物質は、ｌｏｇＰが２．５以下であることを特徴としていてもよい。芳香物質は、乳化していなくてもよく、このことは、得られる組成物の透明性を改善すると考えられる。
【００７３】
この方法は、水性塩基組成物に酢を添加することを含んでいてもよい。芳香物質が水性塩基と混ぜ合わされる前、同時又は後に、酢酸及び／又は酢は、水性塩基と混ぜ合わされてもよい。
【００７４】
使用方法
本開示はまた、本明細書に記載の液体布地処理組成物の使用方法に関する。本方法は、布地又は他の表面と、本開示の組成物とを接触させることを含んでもよい。接触工程は、水存在下で行われてもよい。組成物は、水に分散又は溶解して、処理液を形成してもよい。
【００７５】
処理液のｐＨは、布地処理組成物のｐＨよりも大きい（例えば、７に近い）。処理液は、ｐＨが約２から、又は約３から、又は約４から約７まで、又は約６まで、又は約５までであることを特徴としていてもよい。布地処理組成物の有機酸系は、処理液を所望のｐＨになるように実質的に緩衝するように選択されてもよい。これに加え、又はこれに代えて、布地処理組成物は、処理液中に所望なｐＨをもたらすための他の緩衝剤又はｐＨ調整剤を含んでいてもよい。
【００７６】
本組成物は、典型的には、溶液（すなわち、処理液）中、約５００ｐｐｍ〜約１５，０００ｐｐｍの濃度で使用される。
【００７７】
水温は、約５℃〜約９０℃の範囲であってもよい。処理液と布地との重量比は、約１：１〜約３０：１であってもよい。
【００７８】
この方法は、洗浄槽内などの手動方法であってもよく、自動洗濯機のドラムで行う自動方法であってもよい。機械は、トップローディング機又はフロントローディング機であってもよい。本開示の組成物は、自動洗濯機のドラムに手動で提供されてもよく、又は本開示の組成物は、例えばディスペンサー引き出し部又は他の容器を介して自動的に提供されてもよい。
【００７９】
典型的な処理方法、少なくとも１回の洗浄サイクルと、少なくとも１回のその後のすすぎサイクルとを含む。布地は、洗浄サイクル中にアニオン性界面活性剤などの界面活性剤で処理されてもよい。組成物は、ドラムに提供されてもよく、及び／又は布地を、すすぎサイクル中に組成物と接触させてもよい。
【００８０】
組み合わせ
本開示の具体的に想到される組み合わせを、ここで以下のアルファベットを付した段落に記載する。これらの組み合わせは、事実上例示的なものであり、限定的であることを意図したものではない。
【００８１】
Ａ．液体布地ケア組成物であって、布地ケア組成物の約０．１重量％〜約２０重量％の酢と、布地ケア組成物の約０．１重量％〜約２０重量％の芳香物質であって、ｌｏｇＰが約２．５未満であることを特徴とする、芳香物質と、布地ケア組成物の少なくとも約３０重量％の水とを含み、布地ケア組成物は、無希釈ｐＨが約１〜約６であることを特徴とする、液体布地ケア組成物。
【００８２】
Ｂ．組成物は、約０．１％〜約１０％、又は約０．５％〜約５％、又は約１％〜約３％の酢を含む、段落Ａに記載の組成物。
【００８３】
Ｃ．組成物が、クエン酸、乳酸、アジピン酸、アスパラギン酸、カルボキシメチルオキシマロン酸、カルボキシメチルオキシコハク酸、グルタル酸、ヒドロキシエチルイミノ二酢酸、イミノ二酢酸、マレイン酸、リンゴ酸、マロン酸、オキシ二酢酸、オキシ二コハク酸、コハク酸、スルファミン酸、酒石酸、酒石酸−二コハク酸、酒石酸−一コハク酸、又はこれらの混合物から選択される第２の有機酸、好ましくはクエン酸を更に含む、段落Ａ又はＢのいずれかに記載の組成物。
【００８４】
Ｄ．水性液体布地処理組成物であって、有機酸系であって、酢酸（及び／又はクエン酸）を含む、有機酸系と、芳香物質であって、ｌｏｇＰが約２．５以下であることを特徴とする、芳香物質とを含み、布地ケア組成物は、無希釈ｐＨが約１〜約６であることを特徴とする、水性液体布地処理組成物。
【００８５】
Ｅ．酢酸が、組成物の約０．０５重量％から、又は約０．１重量％から、又は約０．１５重量％から、又は０．２重量％から約５重量％まで、又は約３重量％まで、又は約２重量％まで、又は約１重量％まで、又は約０．５重量％まで、又は約０．３重量％までの濃度で存在する、段落Ｄに記載の組成物。
【００８６】
Ｆ．有機酸系が、酢酸、クエン酸、乳酸、アジピン酸、アスパラギン酸、カルボキシメチルオキシマロン酸、カルボキシメチルオキシコハク酸、グルタル酸、ヒドロキシエチルイミノ二酢酸、イミノ二酢酸、マレイン酸、リンゴ酸、マロン酸、オキシ二酢酸、オキシ二コハク酸、コハク酸、スルファミン酸、酒石酸、酒石酸−二コハク酸、酒石酸−一コハク酸、又はこれらの混合物から選択される第２の有機酸、好ましくはクエン酸及び／又は酢酸を更に含む、段落Ｅに記載の組成物。
【００８７】
Ｇ．組成物が、酢酸と、第２の有機酸とを、約１：３００から、又は約１：２５０から、又は約１：２２５から、又は約１：２００から約１：１まで、又は約１：１０まで、又は約１：５０まで、又は約１：１００までの重量比で含み、好ましくは、第２の有機酸がクエン酸である、段落Ａ〜Ｆのいずれかに記載の組成物。
【００８８】
Ｈ．組成物が、ｐＨが約１．５〜約５、好ましくは約２〜約４、更により好ましくは約２〜約３であることを特徴とする、段落Ａ〜Ｇのいずれかに記載の組成物。
【００８９】
Ｉ．組成物が、ｐＨ４．０に対する予備酸性度が少なくとも約１、又は少なくとも約３、又は少なくとも約５であることを特徴とする、段落Ａ〜Ｈのいずれかに記載の組成物。
【００９０】
Ｊ．組成物が、少なくとも約５０％の水、好ましくは少なくとも約６０％の水を含む、段落Ａ〜Ｉのいずれかに記載の組成物。
【００９１】
Ｋ．芳香物質の少なくとも約５０％、又は少なくとも約６０％、又は少なくとも約７０％、又は少なくとも約８０％、又は少なくとも約９０％、又は少なくとも約９５％、又は約１００％が天然由来の芳香物質である、段落Ａ〜Ｊのいずれかに記載の組成物。
【００９２】
Ｌ．芳香物質が、植物抽出物、好ましくは果実抽出物、薬草抽出物、又はこれらの混合物から選択される植物抽出物を含む、段落Ａ〜Ｋのいずれかに記載の組成物。
【００９３】
Ｍ．芳香物質が、果実抽出物、好ましくは柑橘抽出物、より好ましくはレモン抽出物を含む、段落Ａ〜Ｌのいずれかに記載の組成物。
【００９４】
Ｎ．芳香物質が、薬草抽出物、好ましくは、ラベンダー抽出物、ローズマリー抽出物、タイム抽出物、バジル抽出物、又はこれらの混合物、より好ましくは、ラベンダー抽出物を含む、段落Ａ〜Ｍのいずれかに記載の組成物。
【００９５】
Ｏ．芳香物質が複数の物質を含み、複数の物質の少なくとも６０重量％が、ｌｏｇＰが２．５以下であることを特徴とする物質である、段落Ａ〜Ｎのいずれかに記載の組成物。
【００９６】
Ｐ．組成物が、ブルックフィールド粘度計及びＡＳＴＭ  Ｄ  ２１９６−９９を用い、６０ＲＰＭ及び２２℃における回転粘度測定によって決定される場合、粘度が約１〜約２００ｃｐｓであることを特徴とする、段落Ａ〜Ｏのいずれかに記載の組成物。
【００９７】
Ｑ．組成物が実質的に染料を含まない場合、組成物は、１センチメートルのキュベットを使用して、約４１０〜８００ナメートル、好ましくは約５７０〜６９０ナノメートルの波長で、透過率（％）が光の少なくとも６０％、又は少なくとも７０％、又は少なくとも８０％、又は少なくとも９０％、又は少なくとも９５％であることを特徴とする、段落Ａ〜Ｐのいずれかに記載の組成物。
【００９８】
Ｒ．組成物が、洗浄性界面活性剤、漂白系、及び／又は布地柔軟化物質を実質的に含まない、段落Ａ〜Ｑのいずれかに記載の組成物。
【００９９】
Ｓ．液体布地ケア組成物の製造方法であって、水性塩基を提供する工程と、酢と水性塩基とを混ぜ合わせる工程と、芳香物質と水性塩基とを混ぜ合わせる工程であって、芳香物質は、水性塩基に添加される場合、ｌｏｇＰが２．５以下であることを特徴とし、得られた液体布地ケア組成物は、無希釈ｐＨが約１〜約６であることを特徴とする、方法。
【０１００】
Ｔ．芳香物質が、水性塩基と混ぜ合わされたときに乳化していない、段落Ｓに記載のプロセス。
【０１０１】
試験方法
別途記載のない限り、以下の試験方法は、以下の決定に使用される。
【０１０２】
ｐＨの決定
本明細書において別途記載のない限り、組成物のｐＨは、２０±２℃での組成物の未希釈ｐＨと定義されている。ｐＨを±０．０１ｐＨ単位まで測定することができる任意の計測器が好適である。Ｏｒｉｏｎ  ｍｅｔｅｒｓ（Ｔｈｅｒｍｏ  Ｓｃｉｅｎｔｉｆｉｃ，Ｃｌｉｎｔｉｎｐａｒｋ−Ｋｅｐｐｅｋｏｕｔｅｒ，Ｎｉｎｏｖｅｓｔｅｅｎｗｅｇ  １９８，９３２０  Ｅｒｅｍｂｏｄｅｇｅｍ−Ａａｌｓｔ，Ｂｅｌｇｉｕｍ）又は均等物が、許容可能な計器である。ｐＨ計は、カロメル又は銀／塩化銀基準を有する適切なガラス電極を備えていなければならない。例としては、Ｍｅｔｔｌｅｒ  ＤＢ  １１５が挙げられる。電極は、メーカーが推奨する電解質溶液中で保管する必要がある。ｐＨは、ｐＨ計製造業者の標準手順に従い測定される。更に、ｐＨアセンブリを設定して較正するための製造業者の指示に従う必要がある。
【０１０３】
粘度の決定
組成物の粘度は、ブルックフィールド粘度計及びＡＳＴＭ  Ｄ  ２１９６−９９を用い、６０ＲＰＭ及び２２℃における回転粘度測定によって決定される。
【０１０４】
染み除去
染み除去試験は、ＡＳＴＭ４２６５−１４  Ｓｔａｎｄａｒｄ  Ｇｕｉｄｅ  ｆｏｒ  Ｅｖａｌｕａｔｉｎｇ  Ｓｔａｉｎ  Ｒｅｍｏｖａｌ  Ｐｅｒｆｏｒｍａｎｃｅ  ｉｎ  Ｈｏｍｅ  Ｌａｕｎｄｅｒｉｎｇによって提供される指針と一致して、Ｆｒｏｎｔ  Ｌｏａｄｅｒ  ＨＥ機で行われる。２２の染みを含有する綿ＣＷ１２０の技術的染み見本を購入した。この染み見本を、従来のＮｏｒｔｈ  Ａｍｅｒｉｃａｎ洗浄機（Ｗｈｉｒｌｐｏｏｌ（登録商標））で、７グレイン／ガロン硬度を使用し、８６Ｆでの通常のサイクルを選択し、以下の表に列挙するそれぞれの洗剤組成物を用いて洗浄した。画像解析を使用して、それぞれ染みを染みのない布地対照と比較した。変換画像ソフトウェアにより標準測色値を取り込み、それらをそれぞれの染みに測色値（染みレベル）を割り当てるのに通常使用されるＭａｃｂｅｔｈ  Ｃｏｌｏｕｒ  Ｒｅｎｄｉｔｉｏｎ  Ｃｈａｒｔに基づいた基準と比較した。それぞれの８つの反復試験片を調製した。次いで、染み除去指数を以下に示す式に従って計算する。
【０１０５】
見本からの染み除去は次のように測定された。
【０１０６】
【数２】
2020076087.tif 000004
ΔＥｉｎｉｔｉａｌ＝洗浄前の染みレベル
ΔＥｗａｓｈｅｄ＝洗浄後の染みレベル
【０１０７】
安定性方法
サンプルを調製したら、蓋をしたガラス容器中、２２℃を含む周囲条件で最低１２時間保管する。これにより、香料を製品中に溶解させることができる。１２時間後、目視検査を完了する。相分離が目に見える場合、例えば、頂部に油分離が存在する場合、サンプルは安定していないとみなされる。
【０１０８】
透過率（％）
組成物の相対的透明性／半透明性の測定値として、組成物の透過率（％Ｔ）を決定してもよい。
【０１０９】
透過率を測定する前に、組成物を含む瓶を１０秒間激しく振り混ぜる。サンプルを１ｃｍキュベット内にすぐに入れる。サンプルをキュベット内で１０秒間激しく振り混ぜる。３０秒待ち、透過率を測定する。
【０１１０】
組成物の透過率は、染料が存在しない状態で、Ｂｅｃｋｍａｎ  ＤＵ分光計を用い、所望の波長で、標準的な１０ｍｍ光路長キュベットにより測定する。
【０１１１】
ＬｏｇＰ
物質又は物質の混合物のｌｏｇＰは、以下の方法に従って、以下の階層に従って決定される。
【０１１２】
単一物質及び／又は単純な混合物について、
可能な場合には、コンセンサスｌｏｇＰを使用する（例えば、既知の単純な物質の場合）。
【０１１３】
コンセンサスｌｏｇＰが利用できない場合、可能な場合には、クラシックｌｏｇＰを使用する。
【０１１４】
クラシックｌｏｇＰが利用できない場合、可能な場合には、測定されたｌｏｇＰを使用する。
【０１１５】
他の混合物（例えば、より複雑な混合物又は精油／抽出物）については、
可能な場合、複合体のコンポジットｌｏｇＰを使用する。
【０１１６】
コンセンサスｌｏｇＰが利用できない場合、以下に記載されるような混合物測定ｌｏｇＰを使用する。
【０１１７】
本明細書で使用される場合、「ｌｏｇＰ」は、上述の階層及び以下の方法に従うときに与えられる値を指す。
【０１１８】
香料成分の疎水性の程度は、そのオクタノール／水分配係数Ｐと相関関係にある場合がある。香料成分のオクタノール／水分配係数は、オクタノール中及び水中のその平衡濃度の間の比である。より大きな分配係数Ｐを有する香料成分は、より疎水性が高い。逆に、より小さな分配係数Ｐを有する香料成分は、より親水性が高い。香料成分の分配係数は、通常は高い値を有するので、より簡便には、１０を底とする対数ｌｏｇＰの形態で与えられる。
【０１１９】
このモデルは、分子構造に直接基づく一般的な有機分子に対するオクタノール水分配係数（ｌｏｇＰ又はｌｏｇＫｏｗ）を計算する。ＬｏｇＰは、２つの不混和性の液体相（オクタノールと水）の間の溶質分布の指標であり、一般的に、溶質の疎水性の相対的な指標として使用される。この例では、ＡＣＤ／Ｌａｂｓ  ＬｏｇＰモジュールを使用して計算される。この商品は、ＡＣＤ／Ｌａｂｓモジュールａｃｄｌａｂｓ．ｃｏｍ．のバージョン１４．０２（Ｌｉｎｕｘ（登録商標））に基づく。
【０１２０】
３つのアルゴリズムが、ｌｏｇＰの計算のために使用される。（１）クラシックアルゴリズム、（２）ＧＡＬＡＳアルゴリズム及び（３）コンセンサスアルゴリズム。クラシック法は、本質的にその名の示すとおり、分子断片に基づくｌｏｇ  Ｐ計算の古典的な様式である。これは良好に機能し、広く適用可能である。ＧＡＬＡＳアルゴリズムは、本質的にクラシック値から始まり、次いで、大きな支持データベース内のその分子又は非常によく似た分子についての実験データに基づいてその値を調整する新たな方法である。したがって、ＧＡＬＡＳ法は、分子又は非常によく似た分子が基礎データベースにある場合、非常に正確なものとなり得る。コンセンサス法は、クラシック値とＧＡＬＡＳ値の重み付けされた組み合わせである。データベースに見られる分子に対するクエリ構造の類似性を反映するＧＡＬＡＳ結果の信頼度を考慮する。ＧＡＬＡＳ法がより信頼性が高い場合、コンセンサス法は、より多くの重み付けを与えることになり、そうではない場合、コンセンサス値はクラシック値に近くなるだろう。クラシックアルゴリズムが良好な値を生成する間、コンセンサス値は、一般的な目的のために使用されることが推奨され、ＧＡＬＡＳアルゴリズムは、調整を行うために基礎となるモジュールデータベース内に類似の構造の十分な例が存在する場合には、ＧＡＬＡＳアルゴリズムは、より正確な値を得ることができる。しかしながら、クエリは固有な場合があるため、ＧＡＬＡＳ値は、正確ではない場合がある。コンセンサス法は、ＧＡＬＡＳ値に関連する信頼性指数を考慮する適応的な重み付けスキームを使用して、クラシック値とＧＡＬＡＳ値を組み合わせる。したがって、コンセンサス法は、ｌｏｇＰについて最良の全体的な単一値を提供するはずである。３つの値は全て、ユーザが３つの間の差異を認識し、どの値を使用するかを知らせる選択を作成することができるように、このモデルが与える出力で報告される。以下の表に含まれるＡＣＤ／ｌａｂ  ＬｏｇＰ予測は、コンセンサスアルゴリズムである。このＣｌｏｇＰ値は、最も信頼性が高く、このような物理化学的特性を評価するために広く使用され、本発明に有効な香料成分を選択する際に、実験に基づくｌｏｇＰの値の代わりに使用される。
【０１２１】
測定されたｌｏｇＰ：
試験組成物中のそれぞれの香料原材料（ＰＲＭ）の属性及び定量は、非極性又はわずかに極性のカラムを用いて実施される、水素炎イオン化検出器を備えるガスクロマトグラフィー質量分析計（ＧＣ−ＭＳ／ＦＩＤ）の分析クロマトグラフィー技術を用い、香料油そのまま、又は香料油の希釈物の液体分析によって決定される。
【０１２２】
これらのＧＣ−ＭＳ／ＦＩＤ分析を実施するのに好適な機器としては、例えば、以下の装置が挙げられる：Ｈｅｗｌｅｔｔ  Ｐａｃｋａｒｄ／Ａｇｉｌｅｎｔ  Ｇａｓ  Ｃｈｒｏｍａｔｏｇｒａｐｈ  ｍｏｄｅｌ  ７８９０シリーズＧＣ（Ｈｅｗｌｅｔｔ  Ｐａｃｋａｒｄ／Ａｇｉｌｅｎｔ  Ｔｅｃｈｎｏｌｏｇｉｅｓ  Ｉｎｃ．（Ｓａｎｔａ  Ｃｌａｒａ，Ｃａｌｉｆｏｒｎｉａ，Ｕ．Ｓ．Ａ．））、Ｈｅｗｌｅｔｔ  Ｐａｃｋａｒｄ／Ａｇｉｌｅｎｔ  Ｍｏｄｅｌ  ５９７７Ｎ  Ｍａｓｓ  Ｓｅｌｅｃｔｉｖｅ  Ｄｅｔｅｃｔｏｒ（ＭＳＤ）透過型四重極質量分析計（Ｈｅｗｌｅｔｔ  Ｐａｃｋａｒｄ／Ａｇｉｌｅｎｔ  Ｔｅｃｈｎｏｌｏｇｉｅｓ  Ｉｎｃ．（Ｓａｎｔａ  Ｃｌａｒａ（Ｃａｌｉｆｏｒｎｉａ，Ｕ．Ｓ．Ａ．））、多目的オートサンプラーＭＰＳ２（ＧＥＲＳＴＥＬ  Ｉｎｃ．（Ｌｉｎｔｈｉｃｕｍ，Ｍａｒｙｌａｎｄ，Ｕ．Ｓ．Ａ）、及び５％フェニル−メチルポリシロキサンカラムＪ＆Ｗ  ＤＢ−５（長さ３０ｍ×内径０．２５ｍｍ×膜厚０．２５μｍ）（Ｊ＆Ｗ  Ｓｃｉｅｎｔｉｆｉｃ／Ａｇｉｌｅｎｔ  Ｔｅｃｈｎｏｌｏｇｉｅｓ  Ｉｎｃ．（Ｓａｎｔａ  Ｃｌａｒａ（Ｃａｌｉｆｏｒｎｉａ，Ｕ．Ｓ．Ａ．））。
【０１２３】
当業者は、組成物中のＰＲＭを同定及び定量するために、分析工程が、外部参照標準の使用、エリア応答値の作成、参照データベース及びライブラリから得られる保持時間及び質量スペクトルピークに対して、測定された結果の比較を含んでいてもよいことを理解するだろう。
【０１２４】
香油コンポジットのｌｏｇＰは、行われ、同定、相対量の決定及びＬｏｇＰデータベース予測の多段階工程である。各ＰＲＭの重量パーセントは、そのＰＲＭのＦＩＤエリア応答を、全ＰＲＭの全ＦＩＤエリア応答によって割り算することによって計算される。各個々の物質のｌｏｇＰは、ＡＣＤ／ｌｏｇ  ｐ予測法のコンセンサス値を使用することによって決定される。報告されたコンポジットＬｏｇＰは、個々のＰＲＭ重量分率に、全てのＰＲＭについてそれぞれのｌｏｇＰを乗じ、次いでその合計を計算することによって計算される。
【０１２５】
香料技術では、悪臭がないか又は悪臭の少ない幾つかの補助材料が、例えば溶媒、希釈剤、増量剤又は固定剤として使用される。これらの物質の非限定的な例は、エチルアルコール、エタノール、カルビトール、ジプロピレングリコール、フタル酸ジエチル、クエン酸トリエチル、ミリスチン酸イソプロピル及び安息香酸ベンジルである。これらの材料は、例えば何らかの固体又は粘着性の香料成分を可溶化又は希釈して、例えば操作性及び／又は配合性を改善するために使用される。これらの物質は、香料組成物において有用であり、本発明のコンポジットｌｏｇＰについて、香料組成物の定義／配合の計算に関与する。サンプルの計算結果を以下に与える。
【０１２６】
【表２】
2020076087.tif 000005
【０１２７】
親水性香料が望ましい場合、香料の少なくとも約２５重量％、より好ましくは約５０重量％、最も好ましくは約７５重量％は、ｌｏｇＰが約２．５以下の香料成分から構成される。
【実施例】
【０１２８】
下記の例は、事実上例示的なものであり、制限的であることを意図したものではない。
【０１２９】
実施例１．例示的な組成物
表１は、本開示の組成物を示す。
【０１３０】
【表３】
2020076087.tif 000006
【０１３１】
実施例２．安定性試験（１）−個別の香料物質
表１の実施例１の４種類の組成物サンプルを調製する。各サンプルは、表２に示すように、異なる香料物質を含む。４種類の香料物質はそれぞれ、ＬｏｇＰの異なるＡＣＤ  ｌａｂｓコンセンサスモデル予測を有する。香料は、０．５％と１％の２種類の異なる重量パーセント濃度で試験される。各サンプルの安定性及び％Ｔは、上述の試験方法に従って評価される。結果は表２に与えられる。実施例２Ａ及び２Ｂは比較例であり、実施例２Ｃ及び２Ｄは、本開示の実施例である。
【０１３２】
【表４】
2020076087.tif 000007
【０１３３】
実施例３．安定性試験（２）−香料物質の混合物
表１の実施例１の２種類の組成物サンプルを調製する。各サンプルは、表３に示すように、市販の香料物質の異なる混合物を含む。両香料は、レモン、例えばレモン油及び／又はレモン抽出物に由来すると考えられる。香料は、ＴＲＥＡＴＴ（ＢｕｒｙＳｔ．Ｅｄｍｕｎｄｓ，ＵＫ）から得られる。
【０１３４】
２種類の香料混合物はそれぞれ、コンポジットＬｏｇＰによって特徴付けられる。香料は、０．５％と１％の２種類の異なる重量パーセント濃度で試験される。各サンプルの安定性及び％Ｔは、上述の試験方法に従って評価される。結果は表３に与えられる。実施例３Ａは、本開示の実施例であり、実施例３Ｂは、比較例である。
【０１３５】
【表５】
2020076087.tif 000008
【０１３６】
実施例４．染み除去性能
染み除去試験を実行して、すすぎ添加製品の染み除去性能を単独で、かつ洗剤製品と組み合わせて判定する。
【０１３７】
試験したすすぎ製品は、本開示によれば、１％の香料を含む、上述の表１の実施例１の組成物である。
【０１３８】
試験した洗剤製品は、表４−１に提示された配合による低ｐＨ液体重質洗剤（ＨＤＬ）製品である。洗剤製品は、ｐＨが約２．５であることを特徴とする。
【０１３９】
【表６】
2020076087.tif 000009
【０１４０】
洗剤製品のみ（実施例４Ａ）、洗剤製品の後、リンス添加製品の計画（４Ｂ）、及びすすぎ製品のみ（４Ｃ）について、染み除去データが得られる。試験は、上に提供した汚れ除去方法に従って実施される。洗剤製品を約５０ｍＬの洗剤引き出し部に添加し、すすぎ組成物を約５０ｍＬのすすぎ洗い引き出し部に添加する。様々な汚れ／染みを試験するが、洗剤単独の性能に対する有意性を示すもののみを表４−２に与える。
【０１４１】
【表７】
2020076087.tif 000010
＊＝９５％信頼区間で有意
【０１４２】
表４−２に示されるように、本開示の洗剤と、その後のすすぎ組成物との組み合わせは、Ｇｒａｓｓ、リプトン（商標）紅茶及びネスカフェ（商標）コーヒーに対し、９５％信頼区間における有意な洗浄改善を提供する。
【０１４３】
本明細書において開示された寸法及び値は、列挙された正確な数値に厳密に限定されるものとして理解されるべきではない。代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０１４４】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１４５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲において網羅することを意図したものである。
【外国語明細書】
2020076087.tif 000011
2020076087.tif 000012
2020076087.tif 000013
2020076087.tif 000014
2020076087.tif 000015
2020076087.tif 000016
2020076087.tif 000017
2020076087.tif 000018
2020076087.tif 000019
2020076087.tif 000020
2020076087.tif 000021
2020076087.tif 000022
2020076087.tif 000023
2020076087.tif 000024
2020076087.tif 000025
2020076087.tif 000026
2020076087.tif 000027
2020076087.tif 000028
2020076087.tif 000029
2020076087.tif 000030
2020076087.tif 000031
2020076087.tif 000032
2020076087.tif 000033
2020076087.tif 000034
2020076087.tif 000035
2020076087.tif 000036
2020076087.tif 000037
2020076087.tif 000038
2020076087.tif 000039
2020076087.tif 000040
2020076087.tif 000041
2020076087.tif 000042